(57)【要約】【課題】クレーンで杭を吊り上げることなく玉掛けワイヤを取り外すことができる杭受け台を提供すること。【解決手段】平行する一対の脚部１を連結部２で連結してなる杭の仮吊り用の杭受け台において、連結部２に、杭の玉掛けワイヤのシッテＷを掛止するフック３と、フック３を昇降可能に支持するジャッキ４とを設ける。【選択図】図１
2009097203.tif 000002
【特許請求の範囲】
【請求項１】
平行する一対の脚部を連結部で連結してなる杭の仮吊り用の杭受け台において、前記連結部に、杭の玉掛けワイヤのシッテを掛止するフックと、該フックを昇降可能に支持するジャッキとを設けたことを特徴とする杭受け台。
【請求項２】
連結部をジャッキにより伸縮可能に設けたことを特徴とする請求項１記載の杭受け台。
【発明の詳細な説明】
【技術分野】
【０００１】
本発明は、杭受け台に関し、特に、クレーンで杭を吊り上げることなく玉掛けワイヤを取り外すことができる杭受け台に関するものである。
【背景技術】
【０００２】
従来、既製杭をクレーンで吊り上げて移動するために汎用されているいわゆる「杭の玉掛け」は、玉掛けワイヤを既製杭に２〜３回胴巻きして吊り上げ、杭の自重でワイヤに緊張力を与え、杭とワイヤとの間に発生する摩擦力で杭の吊り上げを行うようにしている。
【０００３】
一方、杭をクレーンにより削孔に挿入した後は、杭は、地上に設置した杭受け台に、杭に胴巻きした玉掛けワイヤのシッテを引っ掛けて仮吊りされる。
杭受け台は、平行する一対の脚部を連結部で連結してなり、連結部に立設した支柱に玉掛けワイヤのシッテを掛止するようにしている。
【０００４】
そして、この仮吊りをした杭と、クレーンで新たに吊り上げた上の杭との接合を行うが、杭の接合後、仮吊りをした杭の玉掛けワイヤを取り外す際には、クレーンで上の杭ごと吊り上げることにより玉掛けワイヤのシッテを緩めて杭受け台から外す必要がある。
すなわち、この杭の吊り上げ時には、削孔内の杭を含めた杭の全荷重と、ソイルセメント等による杭の引き抜き抵抗とがクレーンにかかることになり、クレーンに対する負荷が大きくなりすぎるという問題があった。
【発明の開示】
【発明が解決しようとする課題】
【０００５】
本発明は、上記従来の杭受け台が有する問題点に鑑み、クレーンで杭を吊り上げることなく玉掛けワイヤを取り外すことができる杭受け台を提供することを目的とする。
【課題を解決するための手段】
【０００６】
上記目的を達成するため、本発明の杭受け台は、平行する一対の脚部を連結部で連結してなる杭の仮吊り用の杭受け台において、前記連結部に、杭の玉掛けワイヤのシッテを掛止するフックと、該フックを昇降可能に支持するジャッキとを設けたことを特徴とする。
【０００７】
この場合において、連結部をジャッキにより伸縮可能に設けることができる。
【発明の効果】
【０００８】
本発明の杭受け台によれば、平行する一対の脚部を連結部で連結してなる杭の仮吊り用の杭受け台において、前記連結部に、杭の玉掛けワイヤのシッテを掛止するフックと、該フックを昇降可能に支持するジャッキとを設けたことから、上に接続した杭を介して支持した状態でフックを下降させることにより、玉掛けワイヤのシッテを緩めて杭受け台から外すことができる。
【０００９】
この場合、連結部をジャッキにより伸縮可能に設けることにより、杭径に応じて脚部の間隔を調節することができ、これにより、杭径が異なる種々の杭に合わせて杭受け台を使用することができる。
【発明を実施するための最良の形態】
【００１０】
以下、本発明の杭受け台の実施の形態を、図面に基づいて説明する。
【実施例１】
【００１１】
図１〜図２に、本発明の杭受け台の一実施例を示す。
この杭受け台は、平行する一対の脚部１を連結部２で連結して全体を平面コ字状に形成してなり、削孔Ｓ内に挿入した杭Ｋを仮吊りするものであり、前記連結部２に、杭の玉掛けワイヤのシッテＷを掛止するフック３と、該フック３を昇降可能に支持するジャッキ４とを設けている。
【００１２】
脚部１は、平行に配設された１対のものからなり、連結部２により一端で連結されている。
また、この脚部１の内部には、後述する杭の吊り治具５を下から昇降可能に支持する治具用ジャッキ６が設けられている。
この治具用ジャッキ６は、上下方向に伸縮することにより、吊り治具５の縦リンクプレート５１を下から支持する突出状態と、縦リンクプレート５１の支持を解除して、締付管分割体５２を脚部１に支持させる退入状態とを取ることができるようにしている。
【００１３】
連結部２は、内部に配設したジャッキ（シリンダ）２１により伸縮可能に設けられており、杭径に合わせて脚部１の間隔を調整することができる。
連結部２の中央部には、支柱２２が立設されており、該支柱２２の内部には、下部をジャッキ４に支持されたフック３が昇降可能に配設されている。
フック３は、支柱のガイドレール２３とフック基部のガイド輪３１とによって上下に案内されるとともに、ジャッキ４により所定範囲で上下に移動することができる。
【００１４】
一方、前記した脚部１の治具用ジャッキ６で支持する杭の吊り治具５は、図３〜図４に示すように、既製杭を内挿する管を周方向に分割した締付管分割体５２と、締付管分割体５２同士を連結するリンク機構５０とを備えている。
リンク機構５０は、各締付管分割体５２の分割端部から互いの対向方向に延設された縦に揺動可能な横リンクプレート５３と、横リンクプレート５３の先端部を枢支して連結するとともに、吊りワイヤが間接的に係着される縦リンクプレート５１とを備え、対向する横リンクプレート５３は、平行リンクとして上下に２組連設されている。
また、この杭の吊り治具５は、縦リンクプレート５１の上部に、先端部が揺動することにより基部が締付管分割体５２の上面を押圧する梃子状の締付リンクプレート５４を枢着している。
【００１５】
この杭の吊り治具５は、杭Ｋを締付管に内挿して縦リンクプレート５１を吊りワイヤで引き上げると、縦リンクプレート５１の上昇により横リンクプレート５３が揺動し、締付管分割体５２の間隔を狭めて締付管を縮径し、杭Ｋを締め付けるように保持することができる。
その結果、大径で重い杭を対象とするためワイヤ径が太径となっても、作業性が良く、簡単な構成で、捻れなどで吊りワイヤに部分的にかかる応力が比較的少ないため吊りワイヤを痛めることなく、確実に杭Ｋを垂直に吊り上げることができる。
【００１６】
また、締付リンクプレート５４は、初期位置が縦リンクプレート５１に対し斜めになるように設置されており、先端部がそこに係着される吊りワイヤで引かれることによって揺動し、縦リンクプレート５１と一直線になる。
そして、この揺動の際に基部のローラ５６で締付管分割体５２の上面を押圧し、締付管分割体５２に対し縦リンクプレート５１を引き上げ、リンク機構５０を作用させることにより締付管分割体５２を縮径する。
縮径した締付管分割体５２は、内側の滑り防止部材５５を介し、内挿した杭を予備的に締め付けて保持することができ、これにより、杭が横積みされている状態から吊り上げ初期の間の杭の保持を自動的に行うことができる。
【００１７】
かくして、本実施例の杭受け台は、平行する一対の脚部１を連結部２で連結してなる杭の仮吊り用の杭受け台において、前記連結部２に、杭の玉掛けワイヤのシッテＷを掛止するフック３と、該フック３を昇降可能に支持するジャッキ４とを設けることから、上に接続した杭Ｋ２を介して支持した状態でフック３を下降させることにより、玉掛けワイヤのシッテＷを緩めて杭受け台から外すことができる。
この場合、連結部２をジャッキ２１により伸縮可能に設けることにより、杭径に応じて脚部１の間隔を調節することができ、これにより、杭径が異なる種々の杭Ｋに合わせて杭受け台を使用することができる。
【００１８】
また、この杭受け台は、杭の吊り治具５の縦リンクプレート５１を下から昇降可能に支持する治具用ジャッキ６を脚部１に備えることから、治具用ジャッキ６を上昇させた状態で縦リンクプレート５１を支持することにより、吊り上げ時と同様にリンク機構５０を作用させ、吊りワイヤを外した後も締め付け力を付与して杭Ｋの落下を防止するとともに、上に接続した杭を介して支持した状態で治具用ジャッキ６を下降させることにより、縦リンクプレート５１の下降を許容し、締付管分割体５２を緩めて杭Ｋから吊り治具５を取り外すことができる。
【００１９】
以上、本発明の杭受け台について、その実施例に基づいて説明したが、本発明は上記実施例に記載した構成に限定されるものではなく、その趣旨を逸脱しない範囲において適宜その構成を変更することができる。
【産業上の利用可能性】
【００２０】
本発明の杭受け台は、クレーンで杭を吊り上げることなく玉掛けワイヤを取り外すことができるため、例えば、重量のある杭や引き抜き抵抗が大きい節杭をはじめとして、既成杭の施工に広く好適に用いることができる。
【図面の簡単な説明】
【００２１】
【図１】本発明の杭受け台の一実施例を示し、（ａ）はその断面正面図、（ｂ）は同平面図、（ｃ）は連結部を収縮し、かつ治具用ジャッキを退入させた状態を示す断面図、（ｄ）は連結部を伸長し、かつ治具用ジャッキを突出させた状態を示す断面図である。
【図２】同杭受け台の使用状態を示す断面図である。
【図３】同杭受け台で杭の吊り治具を支持した状態を示す断面図である。
【図４】杭の吊り治具を示し、（ａ）はその平面図、（ｂ）は締付リンクプレートの平面図、（ｃ）は吊り治具の正面図である。
【符号の説明】
【００２２】
１    脚部
２    連結部
２１  ジャッキ
２２  支柱
２３  ガイドレール
３    フック
３１  ガイド輪
４    ジャッキ
５    杭の吊り治具
５０  リンク機構
５１  縦リンクプレート
５２  締付管分割体
５３  横リンクプレート
５４  締付リンクプレート
５５  滑り防止部材
５６  ローラ
６    治具用ジャッキ
Ｓ    削孔
Ｋ    杭
Ｗ    シッテ（玉掛けワイヤ）
【図１】
2009097203.tif 000003
【図２】
2009097203.tif 000004
【図３】
2009097203.tif 000005
【図４】
2009097203.tif 000006